(57)【要約】【課題】エンジンの燃費を向上可能な無段変速機を提供する。【解決手段】第２プーリ１１に設けた可動歯４０に噛合可能な溝１２ａを有する環状の帯体１２を有し、可動歯４０を軸部１３の径方向外側に付勢する付勢手段４１とを有する無段変速機５であって、帯体１２の溝１２ａが可動歯４０に噛合しているかどうか判定する噛合判定手段２０と、噛合判定手段２０によって帯体１２の溝１２ａが可動歯４０に噛合していると判定された場合に、第２油室１１ｃの油圧を低下させる油圧制御手段２０とを備える。【選択図】図１
2014185716.tif 000002
【特許請求の範囲】
【請求項１】
第１固定円錐板及び第１油室に給排される油圧に応じて軸方向に移動する第１可動円錐板を有する第１プーリと、
第２固定円錐板、第２油室に給排される油圧に応じて軸方向に移動する第２可動円錐板及び軸部の径方向に移動可能な可動歯を有する第２プーリと、
前記第１プーリと前記第２プーリとの間に巻き掛けられて前記第１プーリと前記第２プーリとの間で動力を伝達し、前記可動歯に噛合可能な溝が内周面に形成された環状の帯体と、
前記可動歯を前記軸部の径方向外側に付勢する付勢手段と、
動力源によって駆動され、前記第１油室及び前記第２油室に油圧を供給するオイルポンプとを備える無段変速機であって、
前記帯体の前記溝が前記可動歯に噛合しているかどうか判定する噛合判定手段と、
前記噛合判定手段によって前記帯体の前記溝が前記可動歯に噛合していると判定された場合に、前記第２油室の油圧を低下させる油圧制御手段とを備えることを特徴とする無段変速機。
【請求項２】
請求項１に記載の無段変速機であって、
前記第１プーリと前記第２プーリとにおける変速比を算出する変速比算出手段と、
前記第１油室の油圧を検出する油圧検出手段とを備え、
前記噛合判定手段は、前記変速比が、前記溝が前記可動歯に噛合する所定変速比となり、かつ前記油圧検出手段によって検出した前記第１油室の油圧が、前記第１プーリへ入力される入力トルクに基づいて算出される所定油圧以上になると前記溝が前記可動歯に噛合していると判定することを特徴とする無段変速機。
【請求項３】
請求項２に記載の無段変速機であって、
前記油圧制御手段は、前記油圧検出手段によって検出した前記第１油室の油圧が高くなるにつれて、前記第２プーリの油圧低下量を大きくすることを特徴とする無段変速機。
【請求項４】
請求項３に記載の無段変速機であって、
前記第２プーリの油圧低下量を学習する学習手段を備え、
前記油圧制御手段は、前記学習手段によって学習した前記油圧低下量に基づいて前記第２プーリの油圧を低下させることを特徴とする無段変速機。
【請求項５】
請求項１から４のいずれか一つに記載の無段変速機であって、
前記油圧制御手段は、前記第２油室の油圧を下限油圧よりも低下させないことを特徴とする無段変速機。
【請求項６】
請求項１から５のいずれか一つに記載の無段変速機であって、
前記変速比が、前記溝が前記可動歯に噛合する所定変速比となり、かつ前記噛合判定手段によって前記溝が前記可動歯に噛合していないと判定された場合には、前記可動歯、前記付勢手段、前記帯体の少なくともいずれか一つに異常が発生していると判定する異常判定手段とを備えることを特徴とする無段変速機。
【請求項７】
請求項６に記載の無段変速機であって、
前記第１油室の油圧を検出する油圧検出手段を備え、
前記噛合判定手段は、前記変速比が前記所定変速比となり、かつ前記油圧検出手段によって検出した前記第１油室の油圧が、前記溝が前記可動歯に噛合するときの油圧であり、前記第１プーリへ入力される入力トルクに基づいて算出される所定油圧よりも低い場合に、前記溝が前記可動歯に噛合していないと判定することを特徴とする無段変速機。
【請求項８】
請求項６または７に記載の無段変速機であって、
前記異常判定手段によって、前記可動歯、前記付勢手段、前記帯体の少なくともいずれか一つに異常が発生していると判定された場合に、前記変速比を前記溝が前記可動歯に噛合しない変速比に制限する制限手段を備えることを特徴とする無段変速機。
【請求項９】
請求項６または７に記載の無段変速機であって、
前記油圧制御手段は、前記異常判定手段によって前記可動歯、前記付勢手段、前記帯体の少なくともいずれか一つに異常が発生していると判定された場合に、前記第２油室の油圧を低下させないことを特徴とする無段変速機。
【請求項１０】
請求項６から９のいずれか一つに記載の無段変速機であって、
前記異常判定手段によって前記可動歯、前記付勢手段、前記帯体の少なくともいずれか一つに異常が発生していると判定された場合に、異常発生を知らせる告知手段を備えることを特徴とする無段変速機。
【請求項１１】
第１固定円錐板及び第１油室に給排される油圧に応じて軸方向に移動する第１可動円錐板を有する第１プーリと、
第２固定円錐板、第２油室に給排される油圧に応じて軸方向に移動する第２可動円錐板及び軸部の径方向に移動可能な可動歯を有する第２プーリと、
前記第１プーリと前記第２プーリとの間に巻き掛けられて前記第１プーリと前記第２プーリとの間で動力を伝達し、前記可動歯に噛合可能な溝が内周面に形成された環状の帯体と、
前記可動歯を前記軸部の径方向外側に付勢する付勢手段と、
動力源によって駆動され、前記第１油室及び前記第２油室に油圧を供給するオイルポンプとを備える無段変速機を制御する制御方法であって、
前記帯体の前記溝が前記可動歯に噛合しているかどうか判定し、
前記帯体の前記溝が前記可動歯に噛合していると判定された場合に、前記第２油室の油圧を低下させることを特徴とする制御方法。
【発明の詳細な説明】
【技術分野】
【０００１】
本発明は無段変速機に関するものである。
【背景技術】
【０００２】
従来、バネによって径方向外側に付勢される可動歯をプーリの軸部に設け、無終端チェーンリンクに噛合溝を設け、変速比が例えば最Ｈｉｇｈ変速比となる場合に噛合溝を可動歯に噛合させる無段変速機が特許文献１に開示されている。
【先行技術文献】
【特許文献】
【０００３】
【特許文献１】特開２０１０−０１４２６９号公報
【発明の概要】
【発明が解決しようとする課題】
【０００４】
上記の無段変速機では、無終端チェーンリンクの一部が可動歯に接触すると、可動歯が無終端チェーンリンクによって径方向内側に押され、バネによる径方向外側への付勢力が生じる。変速比を更に最Ｈｉｇｈ側に変更しようとすれば、この付勢力に抗しなければならないため、変速がし難くなるという問題が生じる。
【０００５】
本発明はこのような問題点を解決するために発明されたもので、無終端チェーンリンクの噛合溝が可動歯に接触した後の変速をスムーズにすることを目的とする。
【課題を解決するための手段】
【０００６】
本発明のある態様に係る無段変速機は、第１固定円錐板及び第１油室に給排される油圧に応じて軸方向に移動する第１可動円錐板を有する第１プーリと、第２固定円錐板、第２油室に給排される油圧に応じて軸方向に移動する第２可動円錐板及び軸部の径方向に移動可能な可動歯を有する第２プーリと、第１プーリと第２プーリとの間に巻き掛けられて第１プーリと第２プーリとの間で動力を伝達し、可動歯に噛合可能な溝が内周面に形成された環状の帯体と、可動歯を軸部の径方向外側に付勢する付勢手段と、動力源によって駆動され、第１油室及び第２油室に油圧を供給するオイルポンプとを備える無段変速機であって、帯体の溝が可動歯に噛合しているかどうか判定する噛合判定手段と、噛合判定手段によって帯体の溝が可動歯に噛合していると判定された場合に、第２油室の油圧を低下させる油圧制御手段とを備える。
【０００７】
本発明の別の態様に係る制御方法は、第１固定円錐板及び第１油室に給排される油圧に応じて軸方向に移動する第１可動円錐板を有する第１プーリと、第２固定円錐板、第２油室に給排される油圧に応じて軸方向に移動する第２可動円錐板及び軸部の径方向に移動可能な可動歯を有する第２プーリと、第１プーリと第２プーリとの間に巻き掛けられて第１プーリと第２プーリとの間で動力を伝達し、可動歯に噛合可能な溝が内周面に形成された環状の帯体と、可動歯を軸部の径方向外側に付勢する付勢手段と、動力源によって駆動され、第１油室及び第２油室に油圧を供給するオイルポンプとを備える無段変速機を制御する制御方法であって、帯体の溝が可動歯に噛合しているかどうか判定し、帯体の溝が可動歯に噛合していると判定された場合に、第２油室の油圧を低下させる。
【発明の効果】
【０００８】
これらの態様によると、帯体の溝が可動歯に噛合していると判定されると、第２油室の油圧を低下させることで、第２プーリから帯体が受ける径方向外側への力が小さくなる。このため、例えば変速比を最Ｈｉｇｈ側に変速する場合に、帯体が可動歯に当接して、可動歯が帯体によって径方向内側に押され、バネによる径方向外側への付勢力が生じても、第２プーリから帯体が受ける径方向外側への力が小さくなった分、変速比を更に最Ｈｉｇｈ側に変更することが容易になる。これにより、帯体が可動歯に接触してから変速比を更に最Ｈｉｇｈ側に変更する場合に、変速がし難くなるのを抑制することができる。
【図面の簡単な説明】
【０００９】
【図１】本実施形態の無段変速機の概略構成図である。
【図２】チェーンを外したセカンダリプーリの概略図である。
【図３】セカンダリプーリの出力軸部分の概略斜視図である。
【図４】セカンダリプーリを出力軸の軸方向に沿って切断した概略断面図である。
【図５】図４において可動円錐板が可動円錐板側に移動する状態を示す図である。
【図６】バネの概略構成図である。
【図７】実施形態の油圧コントロールユニット及びＣＶＴコントロールユニットの概念図である。
【図８】本実施形態の変速制御を説明するフローチャートである。
【図９】本実施形態の変速制御を説明するフローチャートである。
【図１０】本実施形態の変速制御を説明するフローチャートである。
【図１１】目標変速比とステップモータ位置との関係を示すマップである。
【図１２】目標ライン圧とライン圧ソレノイド指令値との関係を示すマップである。
【図１３】目標プライマリプーリ圧とプライマリプーリ圧ソレノイド指令値との関係を示すマップである。
【図１４】偏差とセカンダリプーリ圧低減量との関係を示すマップである。
【図１５】目標セカンダリプーリ圧とセカンダリプーリ圧ソレノイド指令値との関係を示すマップである。
【発明を実施するための形態】
【００１０】
以下、本発明の実施形態を添付図面に基づいて説明する。なお、以下の説明において、「変速比」は、チェーン式無段変速機（以下、無段変速機と言う。）の入力回転速度を出力回転速度で割って得られる値である。無段変速機は変速比が小さいほどＨｉｇｈ側となる。図１は無段変速機の概略構成図である。
【００１１】
無段変速機５はロックアップクラッチを備えたトルクコンバータ２、前後進切り替え機構４を介してエンジン１に連結される。無段変速機５は、エンジン１から駆動力が伝達されるプライマリプーリ１０と、出力軸１３に連結されたセカンダリプーリ１１と、プライマリプーリ１０とセカンダリプーリ１１とに掛け回された無終端チェーンリンク（以下、チェーンと言う。）１２とを備える。出力軸１３はアイドラギア１４を介してディファレンシャル６に連結される。
【００１２】
チェーン１２は、多数のリンクをリンクピンで連結し、環状に形成される帯体である。チェーン１２の内周面には、図４に示すように後述する可動歯４０の歯部５３が噛合可能な噛合溝１２ａが形成される。噛合とは、噛合溝１２ａと歯部５３とが出力軸１３の径方向において重なり、噛合溝１２ａと歯部５３との間で動力伝達される状態を言う。噛合溝１２ａが可動歯４０に噛合することで、チェーン１２とセカンダリプーリ１１との間で滑りが発生することを抑制することができる。
【００１３】
プライマリプーリ１０は、入力軸と一体となって回転する固定円錐板１０ｂと、固定円錐板１０ｂに対向配置されてＶ字状のプーリ溝を形成する可動円錐板１０ａとを備える。可動円錐板１０ａは、プライマリプーリシリンダ室１０ｃにプライマリプーリ圧が給排されることで入力軸の軸方向へ変位する。
【００１４】
セカンダリプーリ１１は、出力軸１３と一体となって回転する固定円錐板１１ｂと、固定円錐板１１ｂに対向配置されてＶ字状のプーリ溝を形成する可動円錐板１１ａと、出力軸１３の軸方向に沿って形成される可動歯４０と、可動歯４０を出力軸１３の径方向外側に付勢するバネ４１とを備える。セカンダリプーリ１１について図２〜図４を用いて詳しく説明する。図２は、チェーン１２を外したセカンダリプーリ１１の概略図である。図３は、セカンダリプーリ１１の出力軸１３部分の概略斜視図である。図４は、セカンダリプーリ１１を出力軸１３の軸方向に沿って切断した概略断面図である。
【００１５】
可動歯４０は、出力軸１３の外周面にその周方向に等間隔で且つ軸方向に沿って設けられた複数の可動歯ガイド溝４２の各々に、出力軸１３の径方向へ移動可能となるように設けられる。可動歯４０は出力軸１３と一体となって回転する。
【００１６】
可動歯４０は、出力軸１３の軸方向に延びる基部５０と、基部５０における固定円錐板１１ｂ側の端部から出力軸１３の径方向外側に突出する第１ストッパー５１と、基部５０における可動円錐板１１ａ側の端部から出力軸１３の径方向外側に突出する第２ストッパー５２と、第１ストッパー５１と第２ストッパー５２との間の基部５０から出力軸１３の径方向外側に突出する歯部５３とを備える。
【００１７】
可動歯４０は、基部５０と出力軸１３との間に設けたバネ４１によって、出力軸１３の径方向外側に押されている。可動歯４０は、バネ４１による弾性力と、チェーン１２の噛合溝１２ａが可動歯４０に噛合する場合に発生する押力とに応じて出力軸１３の径方向に移動する。押力がない場合、または弾性力が押力よりも大きい場合には、第１ストッパー５１が固定円錐板１１ｂの内周面１１ｄに当接し、第２ストッパー５２が可動円錐板１１ａの内周面１１ｅに当接する。このように、第１ストッパー５１が固定円錐板１１ｂの内周面１１ｄに当接し、第２ストッパー５２が可動円錐板１１ａの内周面１１ｅに当接することで、可動歯４０は、出力軸１３の径方向外側への移動が規制されている。押力が弾性力よりも大きい場合には、可動歯４０は出力軸１３側に移動し、弾性力と押力とが釣り合う位置に保持される。
【００１８】
歯部５３は、出力軸１３の軸方向に沿って形成され、チェーン１２の噛合溝１２ａの形状に合わせて形成される。歯部５３の歯先は、前記内周面１１ｄ、１１ｅよりも出力軸１３の径方向外側へ突出しないように形成されている。そのため、可動円錐板１１ａは、図５に示すように、歯部５３に干渉することなく、出力軸１３の軸方向へ移動可能となる。図５は、図４において可動円錐板１１ａが固定円錐板１１ｂ側に移動する状態を示す図である。
【００１９】
バネ４１は、図６に示すように、線状のＵ字形エレメント６０と、線状の連結エレメント６１とを交互に同一円周上に配置して構成される。図６は、バネ４１の概略構成図である。本実施形態では、図４に示すように３本のバネ４１を出力軸１３の軸方向に並べて配置する。
【００２０】
連結エレメント６１は、出力軸１３の周方向へ設けた溝１３ａに係合し、溝底１３ｂによって出力軸１３の径方向内側への移動が規制されている。
【００２１】
Ｕ字形エレメント６０は、連結エレメント６１に対してＵ字の底部６０ａが出力軸１３の径方向外側に位置するように設けられており、底部６０ａが可動歯４０に当接する。バネ４１の弾性力は、可動歯４０が出力軸１３の径方向内側に押されるほど大きくなる。Ｕ字形エレメント６０は、可動歯４０と同数設けられており、各可動歯４０がＵ字形エレメント６０から受ける弾性力は各可動歯４０とチェーン１２との接触状態に応じて異なる。
【００２２】
可動円錐板１１ａは、セカンダリプーリシリンダ室１１ｃにセカンダリプーリ圧が給排されることで出力軸１３の軸方向へ変位する。
【００２３】
無段変速機５は、プライマリプーリ圧とセカンダリプーリ圧とのバランスを変更することによって変速する。
【００２４】
無段変速機５の変速比やプーリ１０、１１の推力は、ＣＶＴコントロールユニット２０からの指令に応動する油圧コントロールユニット１００によって制御される。ＣＶＴコントロールユニット２０は、エンジン１を制御するエンジンコントロールユニット２１から出力されるエンジン出力トルク情報や後述するセンサ等から出力される信号に基づいて目標変速比や推力を決定し、制御する。
【００２５】
エンジン１で生じた駆動トルクは、トルクコンバータ２、前後進切り替え機構４を介して無段変速機５のプライマリプーリ１０へ入力され、プライマリプーリ１０からチェーン１２を介してセカンダリプーリ１１へ伝達される。プライマリプーリ１０の可動円錐板１０ａ及びセカンダリプーリ１１の可動円錐板１１ａを軸方向へ変位させて、プライマリプーリ１０とチェーン１２、セカンダリプーリ１１とチェーン１２における接触半径を変更することにより、プライマリプーリ１０とセカンダリプーリ１１とにおける変速比は連続的に変更される。
【００２６】
油圧コントロールユニット１００は、図７に示すように、レギュレータバルブ３２と、変速制御弁３７と、減圧弁３０、減圧弁３４とを備える。図７は油圧コントロールユニット１００及びＣＶＴコントロールユニット２０の概念図である。
【００２７】
レギュレータバルブ３２は、エンジン１で生じた駆動トルクの一部が伝達されて駆動するオイルポンプ３６から吐出された油の圧力を調圧するソレノイド３３を備える。レギュレータバルブ３２は、オイルポンプ３６から吐出された油の圧力をＣＶＴコントロールユニット２０からの指令（例えば、デューティ信号など）に応じて運転状態に応じた所定のライン圧に調圧する。
【００２８】
減圧弁３０は、ライン圧を調圧するソレノイド３１を備える。減圧弁３０は、ライン圧をＣＶＴコントロールユニット２０からの指令（例えば、デューティ信号など）に応じて所定のプライマリプーリ圧に調圧する。プライマリプーリ圧は、プライマリプーリシリンダ室１０ｃに給排される。
【００２９】
減圧弁３４は、ライン圧を調圧するソレノイド３５を備える。減圧弁３４は、ライン圧をＣＶＴコントロールユニット２０からの指令（例えば、デューティ信号など）に応じて所定のセカンダリプーリ圧に調圧する。セカンダリプーリ圧は、セカンダリプーリシリンダ室１１ｃに給排される。
【００３０】
変速制御弁３７は、プライマリプーリシリンダ室１０ｃのプライマリプーリ圧を所望の目標圧となるよう制御する制御弁である。変速制御弁３７は、メカニカルフィードバック機構を構成するサーボリンク７０に連結され、サーボリンク７０の一端に連結されたステップモータ７１によって駆動されるとともに、サーボリンク７０の他端に連結したプライマリプーリ１０の可動円錐板１０ａから溝幅、つまり実変速比のフィードバックを受ける。変速制御弁３７は、スプール３７ａの変位によってプライマリプーリシリンダ室１０ｃへの油圧の吸排を行って、ステップモータ７１の駆動位置で指令された目標変速比となるようにプライマリプーリ圧を調整し、実際に変速が終了するとサーボリンク７０からの変位を受けてスプール３７ａを閉弁位置に保持する。
【００３１】
ＣＶＴコントロールユニット２０は、インヒビタスイッチ２２からの信号、アクセルペダルセンサ２３からの信号、プライマリプーリ回転速度センサ２４からの信号、セカンダリプーリ回転速度センサ２５からの信号、ブレーキペダルセンサ２６からの信号、プライマリプーリ圧センサ２７からの信号、セカンダリプーリ圧センサ２８からの信号、エンジンコントロールユニット２１からの信号などに基づいて、変速比などを制御する。エンジンコントロールユニット２１からは、エンジン回転速度センサ２９からの信号に基づき、エンジン回転速度やエンジンの出力トルクの情報などが送られる。
【００３２】
無段変速機５において、変速比をＨｉｇｈ側、例えば最Ｈｉｇｈへ変更する場合には、変速比が最Ｈｉｇｈとなる前にチェーン１２の噛合溝１２ａの一部が可動歯４０に噛合を開始し、可動歯４０の一部はチェーン１２によって出力軸１３の径方向内側に押された状態となる。なお、チェーン１２の噛合溝１２ａの一部が可動歯４０に噛合している場合でも、チェーン１２の噛合溝１２ａの他の一部は可動歯４０に噛合せずに、チェーン１２が可動歯４０を出力軸１３の径方向内側に押し込んでいる状態となる。そのため、変速比が、チェーン１２の噛合溝１２ａが可動歯４０と噛合を開始する変速比となった後は、チェーン１２にはバネ４１による弾性力が作用し、バネ４１による弾性力を考慮して変速させなければならない。
【００３３】
本実施形態の変速制御は、上記状況においてセカンダリプーリ圧を調整することで、チェーン１２の噛合溝１２ａが可動歯４０に噛合する変速比への変更を容易にする。
【００３４】
次に、本実施形態における変速制御について図８〜１０のフローチャートを用いて説明する。
【００３５】
ステップＳ１００では、ＣＶＴコントロールユニット２０は、詳しくは後述する故障判定フラグが「１」であるかどうか判定する。処理は、故障判定フラグが「１」の場合にはステップＳ１３８へ進み、故障判定フラグが「０」の場合にはステップＳ１０１へ進む。
【００３６】
ステップＳ１０１では、ＣＶＴコントロールユニット２０は、車速、エンジン回転速度、スロットル開度、セレクトレバーの位置から目標変速比を算出する。車速は、図示しない車輪速センサからの信号に基づいて検出される。エンジン回転速度は、エンジン回転速度センサ２９からの信号がエンジンコントロールユニット２１に送信され、エンジンコントロールユニット２１からＣＶＴコントロールユニット２０に情報として送信される。スロットル開度は、アクセルペダルセンサ２３からの信号に基づいて検出される。セレクレバーの位置は、インヒビタスイッチ２２からの信号に基づいて検出される。
【００３７】
ステップＳ１０２では、ＣＶＴコントロールユニット２０は、目標変速比に基づいて図１１に示すマップからステップモータ位置を算出する。
【００３８】
ステップＳ１０３では、ＣＶＴコントロールユニット２０は、算出したステップモータ位置に基づいてステップモータ７１を駆動する。これにより、変速制御弁３７が制御される。
【００３９】
ステップＳ１０４ではＣＶＴコントロールユニット２０は、コントロールユニット２１から入力トルクの情報が送信される。
【００４０】
ステップＳ１０５では、ＣＶＴコントロールユニット２０は、目標変速比と入力トルクとに基づいて最小推力制限値、基礎プライマリプーリ推力、基礎セカンダリプーリ推力を算出する。
【００４１】
ステップＳ１０６では、ＣＶＴコントロールユニット２０は、基礎プライマリプーリ推力と基礎セカンダリプーリ推力とに基づいて目標ライン圧を算出する。
【００４２】
ステップＳ１０７では、ＣＶＴコントロールユニット２０は、目標ライン圧に基づいて、図１２に示すマップからライン圧ソレノイド指令値を算出する。
【００４３】
ステップＳ１０８では、ＣＶＴコントロールユニット２０は、ライン圧ソレノイド指令値に基づいてレギュレータバルブ３２のソレノイド３３を制御し、ライン圧を調圧する。
【００４４】
ステップＳ１０９では、ＣＶＴコントロールユニット２０は、基礎セカンダリプーリ推力と最小推力制限値とに基づいて推力分配制御により目標プライマリプーリ圧、及び目標セカンダリプーリ圧を算出する。
【００４５】
ステップＳ１１０では、ＣＶＴコントロールユニット２０は、目標プライマリプーリ圧に基づいて図１３に示すマップからプライマリプーリ圧ソレノイド指令値を算出する。
【００４６】
ステップＳ１１１では、ＣＶＴコントロールユニット２０は、プライマリプーリ圧ソレノイド指令値に基づいて減圧弁３０のソレノイド３１を制御し、変速制御弁３７に供給されるプライマリプーリ圧を調圧する。
【００４７】
ステップＳ１１２では、ＣＶＴコントロールユニット２０は、プライマリプーリ圧センサ２７からの信号に基づいて実プライマリプーリ圧を検出する。
【００４８】
ステップＳ１１３では、ＣＶＴコントロールユニット２０は、実プライマリプーリ圧と目標プライマリプーリ圧とが等しいかどうか判定する。処理は、実プライマリプーリ圧と目標プライマリプーリ圧とが等しい場合にはステップＳ１２３に進み、実プライマリプーリ圧と目標プライマリプーリ圧とが等しくない場合にはステップＳ１１４に進む。
【００４９】
ステップＳ１１４では、ＣＶＴコントロールユニット２０は、実プライマリプーリ圧が目標プライマリプーリ圧よりも低いかどうか判定する。処理は、実プライマリプーリ圧が目標プライマリプーリ圧よりも高い場合にはステップＳ１１５に進み、実プライマリプーリ圧が目標プライマリプーリ圧よりも低い場合にはステップＳ１２３に進む。
【００５０】
ステップＳ１１５では、ＣＶＴコントロールユニット２０は、プライマリプーリ回転速度センサ２４からの信号に基づいてプライマリプーリ回転速度を検出する。
【００５１】
ステップＳ１１６では、ＣＶＴコントロールユニット２０は、セカンダリプーリ回転速度センサ２５からの信号に基づいてセカンダリプーリ回転速度を検出する。
【００５２】
ステップＳ１１７では、ＣＶＴコントロールユニット２０は、プライマリプーリ回転速度をセカンダリプーリ回転速度で除算することで、実変速比を算出する（ステップＳ１１７が変速比算出手段を構成する。）。
【００５３】
ステップＳ１１８では、ＣＶＴコントロールユニット２０は、実変速比が所定変速比以下となっているかどうか判定する。所定変速比は、チェーン１２の噛合溝１２ａが可動歯４０に噛合し、実プライマリプーリ圧が所定圧以上となると判断可能な変速比である。所定圧は、バネ４１による弾性力によってチェーン１２が出力軸１３の径方向外側に付勢されていると判定できる圧であり、センサなどの誤差などを考慮して設定され、入力トルクが大きくなるほど大きくなる。所定圧は、目標プライマリプーリ圧に対して１１０％高くなる圧である。処理は、実変速比が所定変速比以下となっている場合にはステップＳ１１９へ進み、実変速比が所定変速比よりも大きい場合にはステップＳ１２３へ進む。
【００５４】
ステップＳ１１９では、ＣＶＴコントロールユニット２０は、実プライマリプーリ圧が所定圧以上であるかどうか判定する（ステップＳ１１９が噛合判定手段を構成する。）。所定圧は、ステップＳ１１８における所定圧と同じ値である。ここでは、実際に実プライマリプーリ圧が所定圧以上となっているかどうか判定する。可動歯４０、バネ４１、チェーン１２のいずれにも異常が発生していなければ、チェーン１２に可動歯４０の付勢力が働き、それに応じて実プライマリプーリ圧も上昇し所定値以上の値となっている。処理は、実プライマリプーリ圧が所定圧以上である場合には、ステップＳ１２０へ進み、実プライマリプーリ圧が所定圧よりも低い場合には、ステップＳ１２１へ進む。
【００５５】
ステップＳ１２０では、ＣＶＴコントロールユニット２０は、セカンダリプーリ低減指示フラグを「１」に設定する。セカンダリプーリ低減指示フラグは初期値として「０」に設定されている。
【００５６】
ステップＳ１２１では、ＣＶＴコントロールユニット２０は、セカンダリプーリ低減指示フラグが「１」であるかどうか判定する。処理は、セカンダリプーリ低減指示フラグが「１」の場合にはステップＳ１２４へ進み、セカンダリプーリ低減指示フラグが「０」の場合にはステップＳ１２２へ進む。
【００５７】
ステップＳ１２２では、ＣＶＴコントロールユニット２０は、故障判定フラグを「１」に設定する。なお、故障判定フラグは初期値として「０」に設定されている。
【００５８】
ステップＳ１２３では、ＣＶＴコントロールユニット２０は、セカンダリプーリ低減指示フラグが「１」であるかどうか判定する。処理は、セカンダリプーリ低減指示フラグが「１」である場合にはステップＳ１２４へ進み、セカンダリプーリ低減指示フラグが「０」の場合にはステップＳ１３６へ進む。
【００５９】
ステップＳ１２４では、ＣＶＴコントロールユニット２０は、詳しくは後述する推定入力トルクに対するセカンダリプーリ圧低減学習フラグが「１」であるかどうか判定する。処理はセカンダリプーリ圧低減学習フラグが「１」の場合にはステップＳ１２５に進み、セカンダリプーリ圧低減学習フラグが「０」の場合にはステップＳ１２６へ進む。
【００６０】
ステップＳ１２５では、ＣＶＴコントロールユニット２０は、実変速比に基づいて、詳しくは後述する学習値を目標セカンダリプーリ圧として設定する。ここでは、現在の目標セカンダリプーリ圧が学習値によって上書きされる。
【００６１】
ステップＳ１２６では、ＣＶＴコントロールユニット２０は、実プライマリプーリ圧と目標プライマリプーリ圧との偏差を算出する。
【００６２】
ステップＳ１２７では、ＣＶＴコントロールユニット２０は、偏差に基づいて図１４に示すマップからセカンダリプーリ圧低減量を算出する。セカンダリプーリ圧低減量は、偏差が大きくなるほど大きくなる。セカンダリプーリ圧低減量は、バネ４１による弾性力によってセカンダリプーリ１１側で増加するチェーン１２の張力を減少させるように算出される。これにより、チェーン１２の噛合溝１２ａが可動歯４０に噛合する場合でも、プライマリプーリ圧を高くせずに変速を行うことができるようになる。
【００６３】
ステップＳ１２８では、ＣＶＴコントロールユニット２０は、目標セカンダリプーリ圧力からセカンダリプーリ圧低減量を減算し、低減後セカンダリプーリ圧を算出する。
【００６４】
ステップＳ１２９では、ＣＶＴコントロールユニット２０は、基礎セカンダリプーリ推力と最小推力制限値とに基づいて最小セカンダリプーリ圧を算出する。
【００６５】
ステップＳ１３０では、ＣＶＴコントロールユニット２０は、低減後セカンダリプーリ圧が最小セカンダリプーリ圧以上であるかどうか判定する。処理は、低減後セカンダリプーリ圧が最小セカンダリプーリ圧以上である場合にはステップＳ１３１に進み、低減後セカンダリプーリ圧が最小セカンダリプーリ圧よりも低い場合にはステップＳ１３２へ進む。
【００６６】
ステップＳ１３１では、ＣＶＴコントロールユニット２０は、低減後セカンダリプーリ圧を目標セカンダリプーリ圧として設定する。ここでは、現在の目標セカンダリプーリ圧が低減後セカンダリプーリ圧によって上書きされる。
【００６７】
ステップＳ１３２では、ＣＶＴコントロールユニット２０は、最小セカンダリプーリ圧指令値を目標セカンダリプーリ圧として設定する。ここでは、現在の目標セカンダリプーリ圧が最小セカンダリプーリ圧指令値によって上書きされる。
【００６８】
なお、ステップＳ１３１及びステップＳ１３２によって上書きされた目標セカンダリプーリ圧は、各実変速比に応じて一時的にＣＶＴコントロールユニット２０に記憶される。
【００６９】
ステップＳ１３３では、ＣＶＴコントロールユニット２０は、実変速比が最Ｈｉｇｈとなったかどうか判定する。処理は、実変速比が最Ｈｉｇｈとなった場合にはステップＳ１３４へ進み、実変速比が最Ｈｉｇｈとなっていない場合にはステップＳ１３６へ進む。
【００７０】
ステップＳ１３４では、ＣＶＴコントロールユニット２０は、実変速比に対して記憶している目標セカンダリプーリ圧を学習値として記憶する（ステップＳ１３４が学習手段を構成する。）。なお、一時的に記憶されていた目標セカンダリプーリ圧は消去される。また、実変速比が前回の制御からＬｏｗ側の変速比に変更された場合にも一時的に記憶されていた目標セカンダリプーリ圧は消去される。
【００７１】
ステップＳ１３５では、ＣＶＴコントロールユニット２０は、セカンダリプーリ圧学習フラグを「１」に設定する。セカンダリプーリ圧学習フラグは初期値として「０」に設定されている。なお、セカンダリプーリ圧学習フラグは、入力トルク毎に設定される。
【００７２】
ステップＳ１３６では、ＣＶＴコントロールユニット２０は、目標セカンダリプーリ圧に基づいてセカンダリプーリ圧ソレノイド指令値を図１５に示すマップから算出する。
【００７３】
ステップＳ１３７では、ＣＶＴコントロールユニット２０は、セカンダリプーリ圧ソレノイド指令値に基づいて減圧弁３４のソレノイド３５を制御し、セカンダリプーリ圧を調圧する（ステップＳ１３７が油圧制御手段を構成する。）。
【００７４】
ステップＳ１００において故障判定フラグが「１」であると判定された場合には、ステップＳ１３８では、ＣＶＴコントロールユニット２０は、その他の異常判定フラグ、例えば変速比がチェーン１２の噛合溝１２ａと可動歯４０とが噛合する第１変速比よりもＬｏｗ側の変速比で滑りが発生したことを示すフラグに基づいて無段変速機５で異常が発生しているかどうか判定する（ステップＳ１３８が異常判定手段を構成する。）。処理は、無段変速機５で他の異常が発生している場合にはステップＳ１３９に進み、無段変速機５で他の異常は発生していない場合にはステップＳ１４０に進む。
【００７５】
ステップＳ１３９では、ＣＶＴコントロールユニット２０は、セーフモードを実行する。セーフモードでは、例えば車両が走行している場合には、変速比が現在の変速比に維持され、車両停車後は変速比が最Ｌｏｗに限定される。
【００７６】
ステップＳ１４０では、ＣＶＴコントロールユニット２０は、チェーン１２の噛合溝１２ａと可動歯４０とが噛合しないように変速比を制限する（ステップＳ１４０が制限手段を構成する。）。さらに、ＣＶＴコントロールユニット２０は、可動歯４０、バネ４１、チェーン１２のいずれか１つに異常が発生していることを示す警告灯を点灯させて、運転者に告知してもよい（ステップＳ１４０が告知手段を構成する。）。
【００７７】
本発明の実施形態の効果について説明する。
【００７８】
変速比をチェーン１２の噛合溝１２ａが可動歯４０に噛合する変速比に変更する場合に、チェーン１２の噛合溝１２ａが可動歯４０に噛合すると、セカンダリプーリ圧を低下させる。これにより、変速比を例えば最Ｈｉｇｈに変更する場合に、変速をスムーズに行うことができる（請求項１、１１に対応する効果）。更に、セカンダリプーリ圧を低下させずに、可動歯４０がチェーン１２をＬｏｗ側に押し戻そうとする力に対抗して、変速比をＨｉｇｈ側に変更しようとすれば、更なる差推力を得るために、プライマリプーリ圧を上昇させなければならないが、セカンダリプーリ圧を低減しているので、プライマリプーリ圧の上昇を抑制し、最Ｈｉｇｈに変速比を変更した後もプライマリプーリ圧も低くすることができ、オイルポンプ３６を動作させるエンジン１の燃費を向上することができる。また、プライマリプーリ圧の上昇を抑制している分、オイルポンプ３６を小型化することができ、これによっても、エンジン１の燃費を向上することができる。つまり、プライマリプーリ圧の上昇を抑制できないと、変速の際に必要な油圧が、その分、高くなり、それに応じて、オイルポンプ３６が大型化してしまうが、オイルポンプ３６が大型化すると、これを駆動するエネルギーも、その分、大きくなり、燃費の悪化を招くことになる。
【００７９】
変速比がチェーン１２の噛合溝１２ａと可動歯４０とが噛合する所定変速比となり、かつプライマリプーリ圧が所定圧となるとチェーン１２の噛合溝１２ａが可動歯４０に噛合していると判定し、セカンダリプーリ圧を低下させる。チェーン１２の噛合溝１２ａと可動歯４０とが噛合すると、バネ４１による弾性力に抗して変速させなければならず、弾性力に応じてプライマリプーリ圧が高くなる。本実施形態では、プライマリプーリ圧に基づいてチェーン１２の噛合溝１２ａと可動歯４０とが噛合していることを判定することで、チェーン１２の噛合溝１２ａと可動歯４０との噛合状態を正確に判定することができる（請求項２に対応する効果）。
【００８０】
プライマリプーリ圧が高くなるにつれて、セカンダリプーリ圧低減量を大きくする。これにより、バネ４１の弾性力に応じてセカンダリプーリ圧を低減させることができる。バネ４１の弾性力の大きさは、噛合溝１２ａと可動歯４０の噛み合い状態と相関がある。このため、バネ４１の弾性力に応じてセカンダリプーリ圧を低減させれば、セカンダリプーリ圧を下げ過ぎることによるセカンダリプーリ１１の挟持力不足を抑制して、セカンダリプーリ圧を低下させることができる。そのため、チェーン１２とセカンダリプーリ１１との間で滑りが発生することを抑制し、オイルポンプ３６を動作させるエンジン１の燃費を向上することができる（請求項３に対応する効果）。例えば、チェーン１２の噛合溝１２ａが可動歯４０に噛合していても、セカンダリプーリ１１の挟圧力が低下して、可動歯４０が受け持つトルクが大きくなり過ぎると、可動歯４０の付勢力が負けて可動歯４０が径方向内側に後退してしまい、チェーン１２とセカンダリプーリ１１との間で滑りが発生することがあるが、これを抑制することができる。
【００８１】
セカンダリプーリ圧低減量を学習し、次回の変速制御からは学習値に基づいてセカンダリプーリ圧を低減させる。これにより、次回の変速制御から、実プライマリプーリ圧と目標プライマリプーリ圧との偏差を求める演算などを行わず、学習値に基づいてプライマリプーリ圧の上昇を抑制し、変速比を最Ｈｉｇｈに変更することができる（請求項４に対応する効果）。
【００８２】
低減後セカンダリプーリ圧が最小セカンダリプーリ圧よりも低い場合には、最小セカンダリプーリ圧を目標セカンダリプーリ圧とする。これにより、チェーン１２とセカンダリプーリ１１との間で滑りが発生することを抑制することができる（請求項５に対応する効果）。
【００８３】
実変速比がチェーン１２の噛合溝１２ａが可動歯４０に噛合する変速比となっても、実プライマリプーリ圧が所定値以上になっておらず、チェーン１２の噛合溝１２ａが可動歯４０に噛合していないと判定されると、可動歯４０、バネ４１、チェーン１２の少なくとも１つに異常が発生していると判定する。これにより、可動歯４０、バネ４１、チェーン１２の異常発生を検知することができる（請求項６に対応する効果）。
【００８４】
実変速比がチェーン１２の噛合溝１２ａが可動歯４０に噛合する変速比となっても、実プライマリプーリ圧がチェーン１２の噛合溝１２ａが可動歯４０に噛合するときの所定油圧よりも低い場合に、チェーン１２の噛合溝１２ａが可動歯４０に噛合していないと判定する。チェーン１２の噛合溝１２ａと可動歯４０とが噛合する際に高くなる実プライマリプーリ圧に基づいて可動歯４０、バネ４１、チェーン１２の異常発生を判定することで、可動歯４０、バネ４１、チェーン１２の異常発生を検知することができる（請求項７に対応する効果）。
【００８５】
可動歯４０、バネ４１、チェーン１２の少なくとも１つに異常が発生していると判定された場合に、変速比をチェーン１２の噛合溝１２ａと可動歯４０とが噛合しない変速比に制限する。これにより、異常が発生した可動歯４０、バネ４１、チェーン１２の状態が更に悪化することを抑制することができる（請求項８に対応する効果）。
【００８６】
可動歯４０、バネ４１、チェーン１２の少なくとも１つに異常が発生していると判定された場合に、警告灯を点灯する。これにより、運転者に異常が発生していることを告知することができる（請求項１０に対応する効果）。
【００８７】
以上、本発明の実施形態について説明したが、上記実施形態は本発明の適用例の一部を示したに過ぎず、本発明の技術的範囲を上記実施形態の具体的構成に限定する趣旨ではない。
【００８８】
上記実施形態では、プライマリプーリ圧に基づいてチェーン１２の噛合溝１２ａと可動歯４０とが噛合しているかどうか判定したが、セカンダリプーリ１１の可動円錐板１１ａの位置、チェーン１２と可動歯４０とが当たる時に発生する音、振動などに基づいて判定してもよい。
【００８９】
上記実施形態では、プライマリプーリ圧に基づいて可動歯４０、バネ４１、またはチェーン１２の少なくとも１つに異常が発生し、チェーン１２の噛合溝１２ａと可動歯４０とが噛合していないと判定したが、油振、音などに基づいて判定してもよい。
【００９０】
上記実施形態では、エンジン１を動力源として用いているが、動力源としてモータ、またはエンジン及びモータを用いてもよい。
【００９１】
上記実施形態では、無段変速機５の動力伝達部（帯体）としてチェーン１２を用いたが、引っ張り側で動力を伝達する動力伝達部、例えば可動歯４０に噛合可能なゴムベルトを用いてもよい。
【００９２】
上記実施形態では、セカンダリプーリ１１に可動歯４０を設けたが、プライマリプーリ１０に可動歯４０を設けてもよい。
【００９３】
上記実施形態では、可動歯４０、バネ４１、チェーン１２のいずれか一つに異常発生した場合に、変速比を制限したが、変速比は制限せず、チェーン１２の噛合溝１２ａと可動歯４０とが噛合する場合にセカンダリプーリ圧が低下しないようにしてもよい。これにより、チェーン１２とセカンダリプーリ１１との間で滑りが発生することを抑制することができる（請求項９に対応する効果）。
【００９４】
上記実施形態では、ステップモータ７１、変速制御弁３７を用いた無段変速機５について説明したが、ステップモータ７１などを用いずに減圧弁３０のみを用いた無段変速機に上記制御を適用することができる。
【符号の説明】
【００９５】
１      エンジン（動力源）
５      無段変速機
１０    プライマリプーリ（第１プーリ）
１１    セカンダリプーリ（第２プーリ）
１２    チェーン（帯体）
１２ａ  噛合溝（溝）
２０    ＣＶＴコントロールユニット（噛合判定手段、油圧制御手段、変速比算出手段、学習手段、異常判定手段、制限手段、告知手段）
２７    プライマリプーリ圧センサ（油圧検出手段）
３６    オイルポンプ
４０    可動歯
４１    バネ（付勢手段）
【図１】
2014185716.tif 000003
【図２】
2014185716.tif 000004
【図３】
2014185716.tif 000005
【図４】
2014185716.tif 000006
【図５】
2014185716.tif 000007
【図６】
2014185716.tif 000008
【図７】
2014185716.tif 000009
【図８】
2014185716.tif 000010
【図９】
2014185716.tif 000011
【図１０】
2014185716.tif 000012
【図１１】
2014185716.tif 000013
【図１２】
2014185716.tif 000014
【図１３】
2014185716.tif 000015
【図１４】
2014185716.tif 000016
【図１５】
2014185716.tif 000017